(57)【要約】【課題】簡易な構成で、取り出した化粧品の量のばらつきによる化粧効果の不満や使用回数の誤差を抑止する。【解決手段】使用者が、容器本体１の可撓性を有する貯蔵部４を押すと、貯蔵部４の化粧品Ｌが、スリーブ２の連通部７、連通部７の途中の目安突起９の内部を介して、先端の開口１０から吐出する。このとき、開口１０から吐出した化粧品Ｌは、表面張力及び粘性によって、球形Ｂを形成できる。使用者は、球状の目安突起９を目安にし、化粧品Ｌが目安突起９と同じ大きさの球形と認識するように、貯蔵部４を押せば良い。これにより、使用者の誰でも簡単に、使用に適した一定量の球形Ｂの化粧品Ｌを取り出すことができる。【選択図】図５
2019151374.tif 000002
【特許請求の範囲】
【請求項１】
化粧品を貯蔵する可撓性を有する貯蔵部及び前記貯蔵部に連通する筒状の頸部を備えた容器本体と、
前記容器本体の前記頸部に連結し、前記貯蔵部と連通可能な連通部を備えると共に、前記連通部を通過した前記化粧品を外部へ吐出するための開口を先端に備え、前方へ突出するスリーブと、具備し、
前記スリーブは、前記開口と前記連通部の前記頸部より前側の部分との間に配設され、球状を成して内部を前記化粧品が通過し、前記開口から吐出される前記化粧品の大きさの目安とする目安突起を備えたことを特徴とする化粧品容器。
【請求項２】
前記スリーブの前記開口の近傍に、前記開口から吐出した前記化粧品を受ける凹状の受け部を備えたことを特徴とする請求項１記載の化粧品容器。
【請求項３】
前記凹状の受け部は椀状を成していることを特徴とする請求項２記載の化粧品容器。
【請求項４】
前記受け部は、弾性体より形成され、
使用者により、前記受け部が容器本体側へ湾曲状にひっくり返され傘状の傘部が形成されることを特徴とする請求項２又は３記載の化粧品容器。
【発明の詳細な説明】
【技術分野】
【０００１】
本発明は、化粧品容器に関する。
【背景技術】
【０００２】
従来、液状や粘性のある化粧品を収容する化粧品容器として、可撓性のないボトル容器や、チューブ等の可撓性を有する容器が知られている。以下の特許文献１に記載のボトル容器にあっては、練状物を吐出するノズルを設けた作動筒部材に、階段状の下降ストローク調整機構を設け、下降ストローク調整機構を構成する摘み板を１段下げるごとに、一定量の練状物がノズルから吐出し取り出せるようになっている。また、可撓性を有する化粧品容器としてチューブタイプの容器を代表して説明するが、この容器ではチューブを使用者が押すことにより、チューブから化粧品が押し出され取り出せるようになっている。そして、何れの容器にあっても、取り出した化粧品を、使用者は指や手にとって、肌等に塗布するようになっている。
【先行技術文献】
【特許文献】
【０００３】
【特許文献１】特許第３９４６４８８号
【発明の概要】
【発明が解決しようとする課題】
【０００４】
ここで、特許文献１に記載のボトル容器では、一定量の練状物を取り出せるが、構成が複雑でコストが高いという問題がある。
【０００５】
一方、チューブタイプの容器では、チューブを押して一定量の化粧品を押し出すのは難しいという問題がある。ここで、説明書には、一定量として例えばパール粒や米粒等の大きさで取り出すことが記載されているが、パール粒や米粒自体は天然物で大きさにばらつきがあり、使用者によって一定量の感覚が曖昧で、一定量にばらつきが出てしまう。また、説明書に硬貨図が記載され、当該硬貨の３次元の大きさで一定量を取り出すことが記載されているものもあるが、その形状を思い浮かべながらの取り出しとなるため、結局一定量を取り出すことは難しい。このように、一定量の化粧品を取り出すのは難しいため、取り出した化粧品の量のばらつきにより化粧効果に不満が生じると共に、使用者によって使用回数に誤差が必然的に生じてしまうという問題があった。
【０００６】
そこで、本発明は、簡易な構成で、使用者の誰でも簡単に、使用に適した一定量の化粧品を取り出すことができ、化粧品の量のばらつきによる化粧効果の不満や使用回数の誤差を抑止できる化粧品容器を提供することを目的とする。
【課題を解決するための手段】
【０００７】
本発明による化粧品容器は、化粧品を貯蔵する可撓性を有する貯蔵部及び貯蔵部に連通する筒状の頸部を備えた容器本体と、容器本体の頸部に連結し、貯蔵部と連通可能な連通部を備えると共に、連通部を通過した化粧品を外部へ吐出するための開口を先端に備え、前方へ突出するスリーブと、具備し、スリーブは、開口と連通部の頸部より前側の部分との間に配設され、球状を成して内部を化粧品が通過し、開口から吐出される化粧品の大きさの目安とする目安突起を備えたことを特徴としている。
【０００８】
このような化粧品容器によれば、使用者により容器本体の可撓性を有する貯蔵部が押されると、貯蔵部の化粧品は、スリーブの連通部、連通部途中の目安突起の内部を介して、先端の開口から吐出される。このとき、開口から吐出した化粧品は、表面張力及び粘性によって、球形を形成できる。使用者は、球状の目安突起を目安にし、化粧品が目安突起と同じ大きさの球形と認識するように、貯蔵部を押していけば良い。その結果、目安突起という簡易な構成で、使用者の誰でも簡単に、使用に適した一定量の球形の化粧品を取り出すことができ、化粧品の量のばらつきによる化粧効果の不満や使用回数の誤差を抑止できる。
【０００９】
ここで、スリーブの開口の近傍に、開口から吐出した化粧品を受ける凹状の受け部を備えていると、開口からの化粧品を受け部で受けながら当該化粧品の表面張力及び粘性により、球形が形成されやすくなる。
【００１０】
また、凹状の受け部は椀状を成していると、開口から吐出した化粧品を綺麗な球形に形成できる。
【００１１】
また、受け部は、弾性体より形成され、使用者により、受け部が容器本体側へ湾曲状にひっくり返され傘状の傘部が形成される構成であるのが好ましい。このような構成を採用した場合、傘部には、スリーブの開口の近傍に、凹状の受け部より小さい凹状の小受け部を形成できる。このため、小受け部の大きさに合わせ、化粧品Ｌの表面張力及び粘性により、受け部より小さい球形を形成できる。また、弾性体より成る傘部を直接肌等に当てながら開口からの化粧品を塗布できる。
【発明の効果】
【００１２】
このように本発明によれば、簡易な構成で、使用者の誰でも簡単に、使用に適した一定量の球形の化粧品を取り出すことができ、化粧品の量のばらつきによる化粧効果の不満や使用回数の誤差を抑止できる。
【図面の簡単な説明】
【００１３】
【図１】本発明の第１実施形態に係る化粧品容器を示す縦断面図である。
【図２】図１の状態からキャップを取り外した状態を示す化粧品容器の縦断面図である。
【図３】図２に示す化粧品容器の外形図である。
【図４】図３に示す化粧品容器の斜視図である。
【図５】図２に示す化粧品容器の使用時の状態を示す縦断面図である。
【図６】本発明の第２実施形態に係る化粧品容器を示す縦断面図である。
【図７】図６の状態からキャップを取り外した状態のスリーブの拡大縦断面図である。
【図８】図７に示すスリーブの拡大斜視図である。
【図９】図７に示すスリーブの使用時の状態を示す縦断面図である。
【図１０】図８に示すスリーブの受け部を湾曲状にひっくり返し傘状とした状態を示す拡大斜視図である。
【図１１】図１０の縦断面図である。
【発明を実施するための形態】
【００１４】
以下、本発明による化粧品容器の好適な実施形態について図１〜図１１を参照しながら説明する。図１〜図５は、本発明の第１実施形態を、図６〜図１１は、本発明の第２実施形態を各々示すものであり、各図において、同一の要素には同一の符号を付し、重複する説明は省略する。
【００１５】
先ず、図１〜図５に示す第１実施形態を説明する。図１は、本発明の第１実施形態に係る化粧品容器を示す縦断面図、図２は、キャップを取り外した状態を示す化粧品容器の縦断面図、図３は、図２に示す化粧品容器の外形図、図４は、図３に示す化粧品容器の斜視図、図５は、図２に示す化粧品容器の使用時の状態を示す縦断面図である。なお、ここでは、特に好適であるとして、容器本体をチューブタイプとして説明していく。また、化粧品としては、例えば、化粧水、美容液、乳液等のスキンケアや、例えば、リキッドファンデーション等のメーキャップ等を用いるのが特に好適である。また、このような化粧品は、特に液状が好ましいが、半固形化粧品、ジェル状化粧品とすることもできる。
【００１６】
図１に示すように、化粧品容器１００は、化粧品Ｌを貯蔵（収容）した容器本体１と、容器本体１の先端側に設けられたスリーブ２と、スリーブ２を覆い容器本体１に対して着脱可能に装着されるキャップ３と、を備える。
【００１７】
図１〜図４に示すように、容器本体１は、化粧品Ｌを貯蔵する貯蔵部４と、この貯蔵部４に連設された頸部５と、を有し、所謂チューブと呼ばれるものである。貯蔵部４及び頸部５は、例えば、ＰＥの単層や、ＰＥとアルミの積層等より成形される。貯蔵部４は、平面視略長方形状の袋状に形成され内部に化粧品Ｌを貯蔵し、可撓性を有する。貯蔵部４は、先端側に行くに従い太くなり、先端面の形状が正面視円形を成している（図４参照）。
【００１８】
頸部５は、貯蔵部４の先端面の正面視円形より小径の円筒状に構成され、袋状の貯蔵部４の一端側に連設されて一体とされ、貯蔵部４に連通する。図１及び図２に示すように、頸部５は、貯蔵部４より厚く形成されることにより剛性が保たれ、図１〜図４に示すように、その外周面には、キャップ３と螺合し当該キャップ３を着脱可能とする雄螺子６が形成されている。なお、頸部５を、貯蔵部４より硬い例えばＰＰ等の材質より成形し、貯蔵部４に取り付けるようにしても良い。すなわち、貯蔵部４と頸部５とは一体でも別体でも構わない。
【００１９】
スリーブ２は、貯蔵部４より硬い例えばＰＰ等の材質より成形され、頸部５の内周面に連結されて前方へ突出する連通部７を備えている。連通部７は、貯蔵部４と連通可能な略有頂円筒状に構成され前方へ延びている。従って、連通部７内には、化粧品Ｌを通過させるための流路１３が形成されている。この連通部７の先端には、流路１３を流れ化粧品Ｌを外部へ吐出するための開口１０が設けられている。
【００２０】
スリーブ２は、連通部７の下部を構成し頸部５に装着するための装着部８と、装着部８の上方に連設された目安突起９と、連通部７の先端に設けられ、貯蔵部４から、装着部８、目安突起９の流路１３（図１及び図２参照）を通過した化粧品Ｌを外部へ吐出するための上記開口１０と、を備え、さらに、開口１０の近傍に、凹状の受け部１１を備えている。
【００２１】
図１及び図２に示すように、装着部８は、円筒状に構成されて頸部５と同程度の軸線方向長を有し、装着部８の上部には、容器本体１の頸部５の先端面に当接させるための鍔部１２が設けられている。
【００２２】
そして、スリーブ２の装着部８を容器本体１の頸部５に内挿し、鍔部１２が頸部５の先端面に当接することにより、スリーブ２の装着部８が容器本体１の頸部５に圧入固定される。
【００２３】
図１〜図４に示すように、目安突起９は、連通部７の軸線方向途中に、内部が空洞の球を介在させたものである。換言すれば、連通部７の途中に球帯（球を二つの平行な平面で切った球台の側面部分）を連設した形状を呈する。この目安突起９は、詳しくは後述するが、使用者の目視により、開口１０から吐出され球形Ｂを形成することになる化粧品Ｌの大きさの目安とするものである。この目安突起９の大きさは、使用に適した一定量の化粧品Ｌの大きさに相当する。
【００２４】
受け部１１は、開口１０から吐出した化粧品Ｌを受けるべく凹状を呈し、ここでは、綺麗な球形を形成すべく、椀状に構成されている。
【００２５】
図１に示すように、キャップ３は、例えばＰＰ等より成形され、有頂円筒状を呈する。キャップ３の開放端側の内周面には、容器本体１の頸部５の雄螺子６に螺合する雌螺子１４が形成され、キャップ３の有頂部の中央には、ピン１５が立設されている。ピン１５は、キャップ３を容器本体１に装着したときに、スリーブ２の開口１０を通り、連通部７の流路１３に気密に進入可能とされている。
【００２６】
このように構成された化粧品容器１００によれば、使用にあたっては、使用者は、キャップ３を回すことでキャップ３の雌螺子１４と頸部５の雄螺子６の螺合を解除しキャップ３を容器本体１から取り外す。
【００２７】
そして、使用者は、図２に示すように化粧品容器１００を立てた状態で、可撓性を有する貯蔵部４を押す。すると、貯蔵部４内に貯蔵されている化粧品Ｌは、連通部７の流路１３を通り、開口１０から外部へ吐出される。開口１０から吐出した化粧品Ｌは、表面張力及び粘性によって、図５に示すように、球形Ｂを形成できる。このとき、開口１０からの化粧品Ｌは受け部１１で受けられるため、化粧品Ｌは受け部１１の受け面に誘導され（倣って）、球形Ｂを形成しやすくなっている。
【００２８】
使用者は、スリーブ２の球状の目安突起９を目安にして、化粧品Ｌが目安突起９と同じ大きさの球形と認識するように、貯蔵部４を押していけば良い。そして、化粧品Ｌによる球形Ｂが目安突起９と同じ大きさになったと認識したら、貯蔵部４を押すのを止める。その結果、使用に適した一定量の化粧品Ｌを球形Ｂの形で取り出すことができ、使用者は指や手にとって、肌等に塗布することができる。
【００２９】
そして、使用後にあっては、使用者は、図１に示すように、キャップ３を容器本体１に取り付け、これにより、キャップ３のピン１５が、スリーブ２の開口１０を介して流路１３に進入し、貯蔵部４内の化粧品Ｌの漏出及び揮発を防止できる。
【００３０】
このように、本実施形態においては、使用者により容器本体１の可撓性を有する貯蔵部４が押されると、貯蔵部４の化粧品Ｌは、スリーブ２の連通部７、連通部７の途中の目安突起９の内部を介して、先端の開口１０から吐出される。このとき、開口１０から吐出した化粧品Ｌは、表面張力及び粘性によって、球形Ｂを形成できる。使用者は、球状の目安突起９を目安にして、化粧品Ｌが目安突起９と同じ大きさの球形と認識するように、貯蔵部４を押していけば良い。その結果、目安突起９という簡易な構成で、使用者の誰でも簡単に、使用に適した一定量の球形Ｂの化粧品Ｌを取り出すことができ、化粧品Ｌの量のばらつきによる化粧効果の不満や使用回数の誤差を抑止できる。
【００３１】
また、スリーブ２の開口１０の近傍に、開口１０から吐出した化粧品Ｌを受ける凹状の受け部１１を備えているため、開口１０からの化粧品Ｌを受け部１１で受けながら当該化粧品Ｌの表面張力及び粘性により、球形を形成しやすくなっている。
【００３２】
また、凹状の受け部１１は椀状を成しているため、開口１０から吐出した化粧品Ｌを綺麗な球形Ｂとして形成できる。
【００３３】
因みに、開口１０から吐出された化粧品Ｌは、粘性が高いと円柱状になってしまい、低いと変形し垂れてしまう。また、水の場合は、ある程度大きくなるまで球形を維持できる。
【００３４】
図６は、本発明の第２実施形態に係る化粧品容器を示す縦断面図、図７は、キャップを取り外した状態のスリーブの拡大縦断面図、図８は、図７に示すスリーブの拡大斜視図、図９は、図７に示すスリーブの使用時の状態を示す縦断面図、図１０は、図８に示すスリーブの受け部を湾曲状にひっくり返し傘状とした状態を示す拡大斜視図、図１１は、図１０の縦断面図である。
【００３５】
この第２実施形態の化粧品容器２００にあっては、第１実施形態の連通部７の目安突起９より上方の部分及び凹状の受け部１１が変更されている。基本的な変更点は、図６〜図８に示すように、受け部を、第１実施形態と同様な形状であるが、例えばＮＢＲ等の弾性体より成る受け部１６とした点である。この受け部１６には、第１実施形態と同様な開口１０が設けられている。
【００３６】
そして、この変更に伴い、図７に示すように、受け部１６の底面で開口１０周りの位置に、装着部８側（容器本体１側）へ延びる円筒部（以下外筒部と呼ぶ）１７が一体的に連設（一体成形）されている。この外筒部１７は、後述の内筒部１９が進入可能な大きさとされている。また、例えばＰＰ等の材質より成る第１実施形態の連通部７は、軸線方向途中の段差１８により先端側が縮径された円筒部（以下内筒部と呼ぶ）１９とされ、その先端部は、受け部１６の底部へと延びている。
【００３７】
そして、外筒部１７が内筒部１９に外挿され、外筒部１７の下端部が内筒部１９の段差１８に当接し、内筒部１９の上端部が受け部１６の底部に当接した状態で、外筒部１７と内筒部１９とが嵌合固定された状態となっている。この状態で、装着部８、目安突起９、外筒部１７及び内筒部１９を含む部分が、連通部２０とされる。また、連通部２０及び開口１０並びに受け部１６により、スリーブ２１が構成されている。
【００３８】
なお、スリーブ２１において、弾性体より成る受け部１６及び外筒部１７と、それ以外の部分を、２色成形により形成しても良い。
【００３９】
このような化粧品容器２００によれば、通常は、第１実施形態と同様に、使用者による可撓性を有する貯蔵部４（図６参照）の押圧により、化粧品Ｌは、開口１０から外部へ吐出され、表面張力及び粘性によって、図９に示すように、球形Ｂを形成できる。そして、使用者は、球状の目安突起９を目安にして、化粧品Ｌが目安突起９と同じ大きさの球形と認識するまで貯蔵部４を押せば良い。その結果、第１実施形態と同様に、目安突起９という簡易な構成で、使用者の誰でも簡単に、使用に適した一定量の球形Ｂの化粧品Ｌを取り出すことができ、化粧品Ｌの量のばらつきによる化粧効果の不満や使用回数の誤差を抑止できる。また、第１実施形態と同様に、スリーブ２１の開口１０の近傍に、化粧品Ｌを受ける凹状の受け部１６を備えているため、化粧品Ｌを受け部１６で受けながら表面張力及び粘性により、球形を形成しやすくなっている。また、凹状の受け部１１は椀状のため、化粧品Ｌを綺麗な球形Ｂとして形成できる。
【００４０】
ここで、第２実施形態によれば、他の使用形態として、以下のように使用することもできる、すなわち、先ず、使用者は、図７及び図８に示す受け部１６を、図１０及び図１１に示すように、装着部８側へ湾曲状にひっくり返し（裏返し）傘状の傘部２３を形成する。これは、図７に示すように、受け部１６の底部に外筒部１７が位置し外筒部１７内に硬い内筒部１９が位置しているため、受け部１６は、図１１に示すように、外筒部１７の上方辺りから湾曲しながら装着部８側へひっくり返されていく。
【００４１】
すると、傘部２３には、図１０及び図１１に示すように、スリーブ２１の開口１０の近傍に、上記凹状の受け部１６より小さい凹状の小受け部２２が形成される。従って、使用者による可撓性を有する貯蔵部４の押圧によって開口１０から吐出する化粧品Ｌは、小受け部２２の大きさに合わせ、化粧品Ｌの表面張力及び粘性により、受け部１６より小さい球形を形成できる。その結果、化粧品Ｌを小さい球形の形で取り出すことができ、使用者は指や手にとって、肌等に塗布することができる。
【００４２】
また、他の使用形態として、弾性体より成る傘部２３、特に傘部２３の先端部を直接肌等に当てながら開口１０からの化粧品Ｌを塗布することができる。
【００４３】
そして、使用者が、傘部２３を表側へひっくり返すと、図７及び図８に示す椀状の受け部１６に戻すことができる。
【００４４】
このように、第２実施形態によれば、第１実施形態の受け部１１を弾性体とした受け部１６とし、ひっくり返して傘部２３を形成することにより、第１実施形態とは別の使用形態に対応することができる。
【００４５】
以上、本発明をその実施形態に基づき具体的に説明したが、本発明は上記実施形態に限定されるものではなく、例えば、上記第１実施形態においては、特に好ましいとして、スリーブ２の先端で開口１０の近傍に、開口１０から吐出した化粧品Ｌを受ける凹状の受け部１１を設け、受け部１１で化粧品Ｌを受けながら当該化粧品Ｌの表面張力及び粘性により球形Ｂを形成しやすくしており、第２実施形態では、凹状の受け部１６を弾性体とし、ひっくり返して傘状の傘部２３を形成することにより、凹状の受け部１１より小さい凹状の小受け部２２を形成し、化粧品Ｌを受けながら小受け部２２の大きさに合わせ、化粧品Ｌの表面張力及び粘性により、受け部１６より小さい球形を形成しやすくしているが、受け部１１，１６や小受け部２２はなくても良い。すなわち、スリーブ２，２１の先端に、受け部１１，１６がない構成であっても、スリーブ２，２１先端の開口１０から吐出した化粧品Ｌは、表面張力及び粘性によっては、球形を形成できる。
【００４６】
また、化粧品Ｌによる球形の大きさは、使用する箇所等に応じて、受け部１１，１６の内面の半径を変えることにより、対応することができる。このとき、化粧品Ｌによる球形の大きさに対応して、目安突起９の大きさも変えることが必要となる。
【００４７】
また、上記実施形態においは、特に好ましいとして、容器本体１をチューブタイプとしているが、例えばソフトボトル等のスクイーズタイプの容器本体であっても良い。
【符号の説明】
【００４８】
１…チューブ（容器本体）、２，２１…スリーブ、４…貯蔵部、５…頸部、７，２０…連通部、９…目安突起、１０…開口、１１，１６…受け部、２３…傘部、１００，２００…化粧品容器、Ｌ…化粧品。
【図１】
2019151374.tif 000003
【図２】
2019151374.tif 000004
【図３】
2019151374.tif 000005
【図４】
2019151374.tif 000006
【図５】
2019151374.tif 000007
【図６】
2019151374.tif 000008
【図７】
2019151374.tif 000009
【図８】
2019151374.tif 000010
【図９】
2019151374.tif 000011
【図１０】
2019151374.tif 000012
【図１１】
2019151374.tif 000013